(57)【特許請求の範囲】
【請求項１】
駆動周波数及び所定の周波数範囲を有する駆動周波数帯域の中のいずれか１つの周波数を基準に修正データの値を決定する段階と、当該修正データを前記駆動周波数及び所定の周波数範囲を有する駆動周波数帯域別に分けられた複数のルックアップ・テーブルに、駆動周波数及び所定の周波数範囲を有する駆動周波数の帯域毎に登録する段階を含む液晶表示装置の駆動方法であって、
更に、前記駆動周波数を検出する段階と、前記ソースデータを上位ビットと下位ビットに分割する段階と、前記上位ビットを１フレームの期間分遅延させる段階と、前記検出された駆動周波数により前記ルックアップテーブルを選択する段階と、遅延された前記上位ビットと遅延されていない前記上位ビットを比較して、その比較結果に基づいて、前もって前記ルックアップ・テーブルに登録された前記複数の修正データの中のいずれか１つを選択する段階とを含むことを特徴とする液晶表示装置の駆動方法。
【請求項２】
駆動周波数を検出するモード検出器と、駆動周波数及び所定の周波数範囲を有する駆動周波数の帯域の中のいずれか１つを予め決定された修正データ値が前記周波数及び所定の周波数範囲によりそれぞれ登録されてソースデータを修正データに修正する複数のルックアップ・テーブルと、前記検出された駆動周波数により前記複数のルックアップ・テーブルにより修正されたデータの中のいずれか１つを選択するための切り換え部とを具備する液晶表示装置の駆動装置であって、
前記ソースデータの上位ビットを１フレームの期間分遅延させて、遅延された前記上位ビットを前記複数のルックアップ・テーブルに供給するフレームメモリと、遅延された前記上位ビットと、遅延されていない前記上位ビットを比較して、その比較結果により前記ソースデータに対応する修正データを選択するための、前記複数のルックアップ・テーブルとを具備することを特徴とする液晶表示装置の駆動装置。
【請求項３】
液晶表示装置に前記選択された修正データを供給するためのデータ駆動部と、前記液晶表示装置にスキャニング信号を供給するためのゲートドライバと、前記ソースデータを前記複数のルックアップ・テーブルと前記モード検出器に供給すると共に前記データ駆動部とゲート駆動部を制御するためのタイミング・コントローラとを更に具備することを特徴とする請求項２に記載の液晶表示装置の駆動装置。
【請求項４】
画像を表示する液晶表示装置と、ソースデータの駆動周波数を検出するモード検出器と、前記ソースデータの上位ビットを１フレーム期間分遅延させて、遅延された前記上位ビットをルックアップ・テーブルに供給するフレームメモリと、駆動周波数及び所定の周波数範囲を有する駆動周波数の帯域の中のいずれか１つを基準に決定された修正データの値が、前記周波数及び所定の周波数範囲によりそれぞれ登録されて前記遅延された上位ビットと遅延されていない上位ビットを比較して、その比較結果により前記ソースデータに対応する修正データを出力する複数のルックアップ・テーブルと、前記検出された駆動周波数により前記複数のルックアップ・テーブルにより修正されたデータの中のいずれか１つを選択して、その修正データを前記液晶表示装置に供給するための切り換え部とを具備する液晶表示装置の駆動装置であって、
前記選択された修正データを、前記液晶表示装置に供給するための駆動部と、前記液晶表示装置にスキャニング信号を供給するためのゲート駆動部と、前記ソースデータを前記複数のルックアップ・テーブルと前記モード検出器に供給すると共に、前記データ駆動部とゲート駆動部を制御するためのタイミング・コントローラを更に具備することを特徴とする液晶表示装置の駆動装置。
【発明の詳細な説明】
【０００１】
【発明の属する技術分野】
本発明は液晶表示装置に関し、特に画質を向上させた液晶表示装置の駆動方法及び装置に関するものである。
【０００２】
【従来の技術】
通常、液晶表示装置はビデオ信号により液晶セルの光透過率を調節して画像を表示する。液晶セル毎にスイッチング素子が形成されたアクティブマトリックスタイプの液晶表示装置が動画を表示するのに適している。アクティブマトリックスタイプの液晶表示装置に使用されるスイッチング素子としては主に薄膜トランジスタ（以下、「ＴＦＴ」という）が利用されている。
【０００３】
液晶表示装置は数式１及び２で分かるように、液晶に固有の粘性と弾性という特性により応答速度が遅いという短所がある。
【数１】
0004146174.tif 000002
ここで、τ及びγは液晶に電圧が印加される際の上昇時間、Ｖaは印加電圧、ＶＦは液晶分子が傾斜運動を始めるフリーデリック遷移電圧（Freederick  Transition  Voltage）、ｄは液晶セルのセル・ギャップ、γは液晶分子の回転粘度である。
【数２】
0004146174.tif 000003
ここで、τ及びｆは液晶に印加された電圧がオフにされた後液晶が弾性復元力により元の位置に復元される下降時間、Ｋは液晶固有の弾性係数である。
【０００４】
ＴＮモードの液晶応答速度は液晶材料の物性とセル・ギャップにより変化させることができるが、通常、上昇時間が２０−８０ｍｓであり下降時間が２０−３０ｍｓである。このような液晶の応答速度は動画の１フレーム期間（ＮＴＳＣ；１６．６７ｍｓ）より長いため、図１に示すように、液晶セルに充電される電圧が所望の電圧に到達する前に次のフレームに進行することにより動画で画面がかすむモーション・ブラーリング（Motion  Blurring）現象が表れる。
【０００５】
図１に示すように、従来の液晶表示装置は動画を表示する際に応答速度が遅いことにより、１レベルでデータ（ＶＤ）のレベルが変化する時に、それに対応する表示輝度（ＢＬ）が所望の輝度に到達せず、所望の色と輝度を表現できなくなる。その結果、液晶表示装置には動画像のモーション・ブラーリング現象が表れ、明暗比の低下により表示品質が劣化する。
【０００６】
このような液晶表示装置の遅い応答速度を解決するために、アメリカ特許第５，４９５，２６５号とＰＣＴ国際公開番号ＷＯ９９／０５５６７には、ルックアップ・テーブルを利用してデータの変化の有無によりデータを修正する方法（以下、「高速駆動」という）が提案されている。この高速駆動方法は、図２に示すような原理でデータを修正する。
【０００７】
図２に示すように、従来の高速駆動方法は、入力データ（ＶＤ）を修正して修正されたデータ（ＭＶＤ）を液晶セルに印加することにより所望の輝度（ＭＢＬ）を得る。この高速駆動方法は１フレーム期間中に入力データの輝度値に対応する所望の輝度を得ることができるように、データの変化の有無に基づき数式１で｜Ｖ２ａ−Ｖ２Ｆ｜を大きくすることにより液晶の応答速度を加速させる。従って、高速駆動方法を利用する液晶表示装置は、液晶の遅い速度をデータ値の修正で補償して動画のモーション・ブラーリング現象を緩和させることにより、所望の色と輝度で画像を表示する。
【０００８】
さらに詳細には、高速駆動方法は、直前のフレーム（Ｆｎ−１）と現在のフレーム（Ｆｎ）それぞれの最上位ビット・データ（ＭＳＢ）を比較して最上位ビット・データ（ＭＳＢ）に変化があると、ルックアップ・テーブルから該当する修正用データ（Ｍデータ）を選択し、図３のように修正する。この高速駆動方法はハードウェア実現の際にメモリの大きさを減らすために、上位ビットだけを修正する。このように実現された高速駆動装置を図４に示す。
【０００９】
図４に示すように、従来の高速駆動装置は上位ビット・バスライン（４２）に接続されたフレーム・メモリ（４３）と、上位ビット・バスライン（４２）とフレーム・メモリ（４３）の出力端子両方に接続されたルックアップ・テーブル（４４）とを具備する。
【００１０】
フレーム・メモリ（４３）は上位ビット（ＭＳＢ）を１フレーム期間の間に保存し、保存されたデータをルックアップ・テーブル（４４）に供給する。ここで、上位ビット（ＭＳＢ）は８ビットのソース・データ（ＲＧＢ）のうち上位４ビットに設定する。
【００１１】
ルックアップ・テーブル（４４）は、上位ビット・バスライン（４２）から入力される現在のフレーム（Ｆｎ）の上位ビット（ＭＳＢ）と、フレーム・メモリ（４３）から入力される直前のフレーム（Ｆｎ−１）の上位ビット（ＭＳＢ）を、下の表１または表２に当てはめて該当する修正用データ（Ｍデータ）を選択する。修正用データ（Ｍデータ）は下位ビット・バスライン（４１）からの下位ビット（ＬＳＢ）に加算されて液晶表示装置に供給される。
【表１】
0004146174.tif 000004
【表２】
0004146174.tif 000005
表１及び表２において、左側列は直前のフレーム（Ｆｎ−１）のデータ電圧（ＶＤｎ−１）であり、最上行は現在のフレーム（Ｆｎ）のデータ電圧（ＶＤｎ）である。表１は最上位４ビット（２0、２1、２2、２3）を１０進数に表現したルックアップ・テーブルである。表２は８ビットのデータの中の最上位４ビットに加重値（２4、２5、２6、２7）を適用したルックアップ・テーブルである。
【００１２】
しかし従来の高速駆動方式はテレビのようにデータの駆動周波数が固定された場合を前提として研究されたため、モニタのように駆動周波数が変化する周波数可変型の表示装置に適用されにくいという問題点があった。より詳細には、従来の高速駆動方式は特定の周波数（例えば、５０Ｈｚ）とそれにより固定された液晶の応答速度（１６．７ｍｓ）に合わせて修正用データ（Ｍデータ）の電圧レベルが固定される。これに比べて、コンピュータのモニタは駆動周波数が５０〜８０Ｈｚの間で変化することができるように製作される。このようなモニタに従来の高速駆動方式を適用するためには、従来の高速駆動方式で設定された修正用データ（Ｍデータ）を駆動周波数により変えることが必要である。これは駆動周波数により液晶に充電される電圧を変えることにより液晶の応答速度を調整するためである。このため、特定の周波数の駆動周波数を基準に設定された修正用データ（Ｍデータ）が、その周波数より小さいか又は大きい周波数の駆動周波数で画像を表示するモニタに適用されると、画質が更に劣化する。
【００１３】
【課題を解決するための手段】
従って、本発明の目的は画質を向上させた液晶表示装置の駆動方法及び装置を提供することである。
【００１４】
【発明の構成及び作用】
前記目的を達成するために、本発明による液晶表示装置の駆動方法は、駆動周波数及び所定の周波数範囲を有する駆動周波数の帯域を分割し、各帯域別に修正用データの値を決定する段階と、駆動周波数及び所定の周波数範囲を有し駆動周波数帯域別に分けられた複数のルックアップ・テーブルに、前記修正用データを、駆動周波数帯域別に登録する段階と、前記駆動周波数を検出する段階と、前記検出された駆動周波数により前記複数のルックアップ・テーブルから出力された修正用データのうちいずれか１つを選択してソースデータを修正する段階を含む。
【００１５】
本発明による液晶表示装置の駆動方法は、ソースデータを上位ビットと下位ビットに分割する段階と、上位ビットを１フレーム期間分遅延させる段階を更に含む。
【００１６】
本発明による液晶表示装置の駆動方法は、遅延された上位ビットと遅延されていない上位ビットを比較し、その比較結果により前もってルックアップ・テーブルに登録された複数の修正用データのうちいずれか１つを選択することを特徴とする。
【００１７】
本発明による液晶表示装置の駆動装置は、駆動周波数を検出するモード検出器と、駆動周波数又は所定の周波数範囲を有する駆動周波数の帯域のうち１帯域を基準に設定された修正用データの値を周波数帯域別に登録したソースデータを修正するための複数のルックアップ・テーブルと、前記検出された駆動周波数により前記複数のルックアップ・テーブルにより修正されたデータのうちいずれか１つを選択するための切り換え部とを具備する。
【００１８】
本発明による液晶表示装置の駆動装置は、ソースデータの上位ビットを１フレーム期間分遅延させ、遅延された上位ビットを前記複数のルックアップ・テーブルに供給するフレーム・メモリとを更に具備する。
【００１９】
本発明による液晶表示装置の駆動装置において、ルックアップ・テーブルのそれぞれは前記遅延された上位ビットと遅延されていない上位ビットを比較して、その比較結果により前記ソースデータに対応する修正用データを選択することを特徴とする。
【００２０】
本発明による液晶表示装置の駆動装置は、液晶表示パネルに前記選択された修正用データを供給するためのデータ駆動部と、液晶表示パネルにスキャニング信号を供給するためのゲートドライバと、ソースデータを前記複数のルックアップ・テーブルと前記モード検出器に供給すると共に前記データ駆動部とゲート駆動部を制御するためのタイミング・コントローラとを更に具備する。
【００２１】
本発明による液晶表示装置の駆動装置は、画像を表示する液晶表示パネルと、ソースデータの駆動周波数を検出するモード検出器と、ソースデータの上位ビットを１フレーム期間分遅延させ、遅延された上位ビットを出力するフレーム・メモリと、駆動周波数及び所定の周波数範囲を有する駆動周波数帯域のうち１帯域を基準に決定された修正用データの値が帯域別に登録されており、前記遅延された上位ビットと遅延されていない上位ビットを比較した結果により前記ソースデータに対応する修正用データを出力する複数のルックアップ・テーブルと、検出された駆動周波数に応じて前記複数のルックアップ・テーブルにより修正されたデータのうちいずれか１つを選択し、該修正されたデータを前記液晶表示パネルに供給するための切り換え部とを具備する。
【００２２】
本発明による液晶表示装置の駆動装置は選択された修正データを前記液晶表示パネルに供給するための駆動部と、液晶表示パネルにスキャニング信号を供給するためのゲート駆動部と、ソースデータを前記複数のルックアップ・テーブルと前記モード検出器に供給すると共に前記データ駆動部とゲート駆動部を制御するためのタイミング・コントローラとを更に具備する。
【００２３】
【作用】
本発明による液晶表示装置の駆動方法及び装置は、駆動周波数または駆動周波数の帯域別に設定された修正用データを複数のルックアップ・テーブルに登録して、現在入力されるデータの駆動周波数を検出して検出された駆動周波数に適合する修正データを選択する。
【００２４】
【発明の実施態様】
以下、図５乃至図７を参照して本発明の好ましい実施例を説明する。
【００２５】
図５に示すように、本発明による液晶表示装置の駆動装置は、データライン（５５）とゲートライン（５６）の交差部に液晶セル（Ｃｌｃ）を駆動するためのＴＦＴが形成された液晶パネル（５７）と、液晶パネル（５７）のデータライン（５５）にデータを供給するためのデータドライバ（５３）と、液晶パネル（５７）のゲートライン（５６）にスキャニングパルスを供給するためのゲートドライバ（５４）と、デジタル・ビデオ・データと同期信号（ＨＶ）が供給されるタイミング・コントローラ（５１）と、デジタル・ビデオ・データ（ＲＧＢ）の周波数を検出するためのモード検出器（５８）と、デジタル・ビデオ・データ（ＲＧＢ）の周波数別にまたは周波数の帯域別に修正用データが設定された複数のルックアップ・テーブルを利用してデジタル・ビデオ・データ（ＲＧＢ）を修正するためのデータ修正部（５２）とを具備する。
【００２６】
液晶パネル（５７）は、間に液晶が注入された二枚のガラス基板からなり、その下部ガラス基板上に複数のデータライン（５５）と複数のゲートライン（５６）が相互に直交するように形成されている。データライン（５５）とゲートライン（５６）の交差部に形成されたＴＦＴは、スキャニングパルスに応答してデータライン（５５）上の液晶セル（Ｃｌｃ）を駆動する。このために、ＴＦＴのゲート電極はゲートライン（５６）に接続され、ソース電極はデータライン（５５）に接続される。そしてＴＦＴのドレーン電極は液晶セル（Ｃｌｃ）の画素電極に接続される。
【００２７】
タイミング・コントローラ（５１）は、図示しないデジタル・ビデオ・カードから供給されるデジタル・ビデオ・データを再整列する。タイミング・コントローラ（５１）により再整列されたデータ（ＲＧＢデータ）はデータ修正部（５２）とモード検出器（５８）に供給される。
【００２８】
また、タイミング・コントローラ（５１）は入力される水平／垂直同期信号（ＨＶ）を利用してドットクロック（Ｄｃｌｋ）、ゲート・スタート・パルス（ＧＳＰ）、図示しないゲート・シフト・クロック（ＧＳＣ）、出力イネーブル／ディスエーブル信号のタイミング制御信号と極性の制御信号を生成し、データドライバ（５３）とゲートドライバ（５４）を制御する。ドットクロック（Ｄｃｌｋ）と極性制御信号はデータドライバ（５３）に供給され、ゲート・スタート・パルス（ＧＳＰ）とゲート・シフト・クロック（ＧＳＣ）はゲートドライバ（５４）に供給される。
【００２９】
ゲートドライバ（５４）はタイミング・コントローラ（５１）から供給されるゲート・スタート・パルス（ＧＳＰ）とゲート・シフト・クロック（ＧＳＣ）に応じてスキャンパルス、即ちゲート・ハイパルスを順次発生するシフト・レジスタと、スキャンパルスの電圧を液晶セル（Ｃｌｃ）の駆動に適合するレベルにシフトさせるためのレベル・シフトを含む。このスキャンパルスに応じてＴＦＴはターン・オンされる。ＴＦＴがターン・オンされる際に、データライン（５５）上のビデオ・データは液晶セル（Ｃｌｃ）の画素電極に供給される。
【００３０】
データ・ドライバ（５３）にはデータ修正部（５２）により周波数に応じて修正されたデータ（ＶＭデータ）が供給されると共に、タイミング・コントローラ（５１）からドットクロック（Ｄｃｌｋ）が入力される。このデータ・ドライバ（５３）はドットクロック（Ｄｃｌｋ）により修正データ（ＶＭデータ）をサンプリングした後、１ライン分ずつラッチする。このデータ・ドライバ（５３）によりラッチされたデータはアナログ・データに変換され、スキャン期間毎にデータライン（５５）に供給される。データ・ドライバ（５３）は修正データに対応するガンマ電圧をデータライン（５５）に供給することもできる。
【００３１】
データ修正部（５２）には、駆動周波数別または一定の周波数範囲を有する駆動周波数帯域別に修正用データが設定された複数のルックアップ・テーブルが含まれる。このデータ修正部（５２）はモード検出器（５８）からの周波数検出信号によりルックアップ・テーブルを選択し、該当するルックアップ・テーブルで直前のフレーム（Ｆｎ−１）と現在のフレーム（Ｆｎ）の変化の有無により修正用データを選択する。
【００３２】
モード検出器（５８）はデジタル・ビデオ・データ（ＲＧＢ）をカウンターしてデジタル・ビデオ・データ（ＲＧＢ）の周波数を検出する。このように検出されたデジタル・ビデオ・データ（ＲＧＢ）の周波数情報は、周波数の検出信号（Ｆ）としてデータ修正部（５２）の制御端子に供給される。
【００３３】
図６はデータ修正部（５２）の詳細な構成を表す。
【００３４】
図６を参照すると、本発明によるデータ修正部（５２）は上位ビット（ＭＳＢ）が入力されるフレーム・メモリ（６３）と、周波数別または周波数帯域別に修正用データが設定されたｎ個のルックアップ・テーブル（６４ａ乃至６４ｎ）と、駆動周波数によりルックアップ・テーブル（６４ａ乃至６４ｎ）から出力される修正用データのうちいずれか１つを選択するための切り換え部（６５）とを具備する。
【００３５】
フレーム・メモリ（６３）はタイミング・コントローラ（５１）の上位ビット・バスライン（６２）に接続されてタイミング・コントローラ（５１）から入力される上位ビット（ＭＳＢ）を１フレーム期間の間に保存する。そしてフレーム・メモリ（６３）はフレーム毎に保存された上位ビット（ＭＳＢ）をｎ個のルックアップ・テーブル（６４ａ乃至６４ｎ）に供給する。
【００３６】
ルックアップ・テーブル（６４ａ乃至６４ｎ）のそれぞれには、駆動周波数または周波数帯域別に独立して設定された修正用データが登録される。各ルックアップ・テーブル（６４ａ乃至６４ｎ）に設定された修正用データは、下の表３に示すように、駆動周波数または駆動周波数帯域別に要求される応答速度を基準にその値が決定される。
【表３】
0004146174.tif 000006
表３に示すように、駆動周波数により要求される液晶の応答時間は駆動周波数に反比例する。従って、ｎ個のルックアップ・テーブル（６４ａ乃至６４ｎ）のそれぞれに設定された修正用データの値は、駆動周波数または駆動周波数帯域別に異なるように設定される。
【００３７】
また、ルックアップ・テーブル（６４ａ乃至６４ｎ）のそれぞれに登録された修正用データは、直前のフレーム（Ｆｎ−１）と現在のフレーム（Ｆｎ）の比較結果により、下の関係式（１）乃至（３）を満足するようにその値が決定される。
ＶＤｎ  ＜  ＶＤｎ−１  ---＞  ＭＶＤｎ  ＜  ＶＤｎ------（１）
ＶＤｎ  ＝  ＶＤｎ−１  ---＞  ＭＶＤｎ  ＝  ＶＤｎ------（２）
ＶＤｎ  ＞  ＶＤｎ−１  ---＞  ＭＶＤｎ  ＞  ＶＤｎ------（３）
【００３８】
関係式（１）乃至（３）において、ＶＤｎ−１は直前のフレームのデータ電圧、ＶＤｎは現在のフレームのデータ電圧、そしてＭＶＤｎは修正データ電圧をそれぞれ表す。
【００３９】
下の表４のように、一定の周波数範囲を有する駆動周波数の帯域別に修正用データが設定されると、各駆動周波数別に修正用データが設定される場合と比較してルックアップ・テーブルのメモリの大きさが小さい。このように周波数帯域別に修正用データを設定することが可能な理由は、小さい周波数の変化には要求される液晶の応答時間の差が殆どないためである。
【表４】
0004146174.tif 000007
本発明による液晶表示装置の駆動方法及び装置において、前記データ修正過程は図７のフロー・チャートに整理することができる。
【００４０】
図７に示すように、予めｎ個のルックアップ・テーブル（６４ａ乃至６４ｎ）のそれぞれに、駆動周波数または一定の周波数範囲を有する駆動周波数帯域別に値が決定された修正用データが登録される。（Ｓ７１段階）続いて、モード検出器（５８）により駆動周波数が検出されると（Ｓ７２段階）、各ルックアップ・テーブル（６４ａ乃至６４ｎ）を通して選択された修正用データの中から検出された駆動周波数に対応する修正用データが選択される。（Ｓ７３段階）
【００４１】
一方、本発明による液晶表示装置の駆動方法及び装置について、実施例で上位ビットだけを修正する方法を記載しているが、ソースデータのフルビット（８ビット）を修正することもできる。
【００４２】
【発明の効果】
上述のように、本発明による液晶表示装置の駆動方法及び装置は、駆動周波数または駆動周波数帯域別に設定された修正用データを複数のルックアップ・テーブルに登録し、現在入力されるデータの駆動周波数を検出して検出された駆動周波数に適合する修正用データを選択する。このように駆動周波数を検出して検出された駆動周波数に最適な修正用データを選択することで、本発明による液晶表示装置の駆動方法及び装置は、駆動周波数別に要求される液晶の応答速度に適応することができるようになる。その結果、本発明による液晶表示装置の駆動方法及び装置は、駆動周波数が異なる表示装置にも、最適な高速駆動を実現することができ、画質を向上させることができる。
【００４３】
以上説明した内容を通し、当業者であれば本発明の技術思想を逸脱しない範囲で多様な変更及び修正が可能であることが分かる。例えば、データ修正部と演算機はルックアップ・テーブル以外にもプログラムとこれを実行するためのマイクロプロッセッサのような異なる形態に具現することもできる。また、本発明による技術的な思想は、データ修正が必要なすべての分野、例えば、プラズマディスプレー（ＰＤＰ）、電界放出表示装置（ＦＥＤ）、エレクトロ・ルミネセンス表示装置（ＥＬ）のデジタル平板表示装置に適用することができる。従って、本発明の技術的な範囲は、明細書の詳細な説明に記載された内容に限定されず、特許請求の範囲によって定められる。
【図面の簡単な説明】
【図１】  図１は通常の液晶表示装置においてデータによる輝度変化を表す波形図である。
【図２】  図２は従来の高速駆動方法においてデータ修正による輝度変化の一例を表す波形図である。
【図３】  図３は８ビットのデータを使用した従来の高速駆動方法の一例を表す。
【図４】  図４は従来の高速駆動装置を表すブロック図である。
【図５】  図５は本発明の実施例による液晶表示装置の駆動装置を表すブロック図である。
【図６】  図６は図５に図示されたデータ修正部を詳細に表すブロック図である。
【図７】  図７は本発明の実施例による液晶表示装置の修正手順を段階的に表すフロー・チャートである。
【符号の説明】
４２、６２：上位ビット・バスライン
４３：フレーム・メモリ
４４：ルックアップ・テーブル
５１：タイミング・コントローラ
５２：データ修正部
５３：データドライバ
５４：ゲートドライバ
５５：データライン
５６：ゲートライン
５７：液晶パネル
５８：モード検出器
６３：フレーム・メモリ
６４ａ乃至６４ｎ：ルックアップ・テーブル
【図１】
0004146174.tif 000008
【図２】
0004146174.tif 000009
【図３】
0004146174.tif 000010
【図４】
0004146174.tif 000011
【図５】
0004146174.tif 000012
【図６】
0004146174.tif 000013
【図７】
0004146174.tif 000014